(57)【特許請求の範囲】
【請求項１】
上下枠と左右の縦枠とから枠体を構成し、上記縦枠の内側に内障子と外障子の摺動案内溝を設け、少なくとも上記内障子の上端両側には、上記摺動案内溝に係脱可能な係合片を有するガイド部材を固定した上げ下げ窓において、
上記内障子は横框の両端を縦框の側面に突合せて框組みして成り、上記ガイド部材を上記縦框上端に取り付けてこの縦框の上端開口部を塞ぐとともに、上記ガイド部材には、上記係合片の係脱を操作する操作部を上記内障子の上方に突設し、前記縦枠に固定された内障子の上動規制用ストッパには、上記操作部に当たらないようにする逃げ部を形成したことを特徴とする上げ下げ窓における障子ガイド機構。
【発明の詳細な説明】
【０００１】
【発明の属する技術分野】
本発明は外障子と内障子とを摺動可能に設けた上げ下げ窓において、上記各障子の摺動をガイドするガイド機構に関する。
【０００２】
【従来技術】
一般に、上げ下げ窓は枠体の内側に内障子と外障子とを配設したものであり、内外両障子ともに上下動可能に配置されている。
【０００３】
枠体は上下枠と左右の縦枠とから成り、縦枠には内障子と外障子の上下動を案内するための摺動案内溝が形成されている。そして、枠体の上方に押し上げた障子が手を離しても落下しないように、各摺動案内溝の上部にはスパイラルバランサが配置されている。スパイラルバランサはパイプ内にスパイラルロッドを下方に引き出し可能に設け、このスパイラルロッドをスプリングにより一定の力で上方に付勢するもので、スパイラルロッドの下端には軸受部材が固定され、この軸受部材には上記内、外各障子の下端両側に突出した回転軸が軸受けされている。
【０００４】
また、内、外各障子の上端の両側にはガイド部材が固定され、ガイド部材には縦枠の摺動案内溝に係合する係合片が設けられている。この係合片は上記摺動案内溝から引っ込み操作できるように取り付けられている。各障子は上記ガイド部材の係合片と軸受部材が摺動案内溝内を摺動することにより上下方向に移動できるものであり、上記係合片を摺動案内溝から引っ込めることにより下端両側の軸を中心に内側に回動できるように構成されている。なお、外障子は内障子が邪魔して回動することはできない。
【０００５】
このように、係合片は摺動案内溝に係合して障子の上下動を案内するものであるが、係合片を摺動案内溝に係脱させるためには、ガイド部材に係合片と一体に形成された摘子を左右に作動操作すればよい。
【０００６】
【発明が解決しようとする課題】
しかしながら、摺動案内溝の内側にはスパイラルバランサが配置されているから、パイプが邪魔して係合片を摺動案内溝内に深く係合させることはできない。このため、地震や不測の外力が障子に加わったときには、係合片が動いて摺動溝から外れて回動してしまうことがあり、危険である。
【０００７】
本発明は上記問題点を解消し、障子に地震時の振動や不測の外力が加わっても、ガイド部材が摺動案内溝から外れることがない上げ下げ窓における障子ガイド機構を提供することをその課題とする。
【０００８】
【課題を解決するための手段】
前記課題を解決するため、本発明に係る上げ下げ窓における障子ガイド機構は、上下枠と左右の縦枠とから枠体を構成し、上記縦枠の内側に内障子と外障子の摺動案内溝を設け、少なくとも上記内障子の上端両側には、上記摺動案内溝に係脱可能な係合片を有するガイド部材を固定した上げ下げ窓において、上記内障子は横框の両端を縦框の側面に突合せて框組みして成り、上記ガイド部材を上記縦框上端に取り付けてこの縦框の上端開口部を塞ぐとともに、上記ガイド部材には、上記係合片の係脱を操作する操作部を上記内障子の上方に突設し、前記縦枠に固定された内障子の上動規制用ストッパには、上記操作部に当たらないようにする逃げ部を形成したことを特徴とする。
【０００９】
【発明の実施の形態】
図１は閉じ状態の上げ下げ窓の斜視図、図２は下の内窓を開けた状態の斜視図を示す。
【００１０】
同図において符号１は枠体を示す。枠体１は上枠１ａ、下枠１ｂ及び左右の縦枠１ｃとから方形に枠組みされたもので、枠体１の内面の室内側には内障子２の摺動案内溝４が、屋外側には外障子３の摺動案内溝５がそれぞれ形成されている。閉じ状態では内障子２は下方に、外障子３は上方にあり、それぞれ上下方向に摺動可能に設けられている。
【００１１】
上記枠体１は金属部ａと合成樹脂部ｂとから成る複合サッシ枠である。すなわち、図３及び図４に示されるように、上枠本体６、下枠本体７及び縦枠本体８はアルミニウム等の金属から成る金属部ａとして構成されている。また、上記枠体１の外障子３の摺動案内溝５は上記金属部ａによって構成されている。これに対し、上記各枠部材１ａ、１ｂ、１ｃの室内側に面する部位と内障子２の摺動案内溝４とは合成樹脂から成る合成樹脂部ｂとして構成されている。
【００１２】
内、外障子２、３は上下の横框１０の両端を左右の縦框１１の側面に突合せて框組みしたもので、図９に示すように下部横框１０の両側にはピボット軸１２が突出され、このピボット軸１２は各摺動案内溝４、５に摺動自在に配置されたピボットシュー１３に軸受けされている。ピボットシュー１３は、摺動案内溝４、５の内側に配置されたスパイラルバランサ１４に連結されている。すなわち、スパイラルバランサ１４は、図５に示されるように、パイプ１５の内部中央にスパイラルロッド１６を設け、スパイラルロッド１６を下方に引き出し自在としてその下端に上記ピボットシュー１３を結合し、パイプ１５内に設けたスプリング（図示せず）のバネ力により上記各障子２、３を上げ下げした位置に保持するものである。このため、各障子は軽い力で上下動操作できるようになっている。なお、スパイラルバランサ１４の上端には上記スプリングのバネ力を調整する調整器１９が取り付けられ、該調整器１９は摺動案内溝４、５の上端に固定されている。
【００１３】
内障子２と外障子３の各縦框１１の上端にはそれぞれの縦枠１ｃの摺動案内溝４、５に係合可能なガイド部材２０（図４参照）が取り付けられている。図６に示されるように、ガイド部材２０は摺動案内溝３、４に係脱可能な係合片２１を備え、係合片２１は操作部２２を外部から操作して摺動案内溝４、５に係脱できるようになっている。これにより、内障子２と外障子３の上部は上記ガイド部材２０によって摺動案内されている。
【００１４】
ガイド部材２０は、縦框１１の内部に嵌合されるとともに、図６、図７(a) に示されるように、上部が縦框１１の上端を覆う大きさのハウジング２３の内部に係合片２１を出没可能に収納配置し、バネ２４により突出方向に付勢し、係合片２１と一体に形成した操作部２２を上方に突出するとともに、操作部２２をハウジング２３の上部に形成した開口部２５に沿って移動できるようにしたものである。これにより、操作部２２を上記開口部２５内を移動させることにより係合片２１を作動させて摺動案内溝４、５に係脱させることができる。
【００１５】
係合片２１の先端２１ａは、上記縦枠１ｃ内に配置されて内障子２を保持するスパイラルバランサ１４のパイプ１５の外形に対応して円弧状に弯曲形成されている。
【００１６】
また、上記操作部２２には規制片２６が回動自在に取り付けられている。規制片２６の裏側には凸部２７が形成され、規制片２６を図６及び図７(a) (b) のように水平に回動して開口部２５を閉じると、操作部２２は移動動操作しようとすると、凸部２７が開口部２５の内縁に係合するので、移動できない。逆に、図８(a) (b) のように規制片２６を垂直に立てることにより操作部２２は自由に作動することができる。また、規制片２６を閉じることにより、ガイド部材２０全体として縦框１１の上端を塞ぐキャップとしても機能する。
【００１７】
次に、上記各障子を縦枠１ｃに取り付けるにあたっては、まずスパイラルバランサ１４を上述のように取り付けた後、図９に示されるように障子２、３を左又は右に傾けてその下端一側のピボット軸１２を同じ側のスパイラルバランサ１４のピボットシュー１３の軸受穴１３ａに嵌合し、さらに障子を他方に傾けるようにして反対側のピボット軸を反対側のピボットシューの軸受穴に嵌合する。そして、図７(a) (b) に示されたように、操作部２２を作動させて係合片２１を摺動摺動案内溝４、５に係合させればよい。このようにして、各障子は上部のガイド部材２０と下部のピボットシュー１３に案内されて摺動案内溝４、５に沿って上下動することができる。係合片２１を摺動案内溝４、５に係合させた後は、規制片２６を水平に倒しておく。
【００１８】
障子２、３を枠体１に取り付けた後に、内障子２を室内側に回動させる必要があるときは、規制片２６を立てた後、操作部２２を移動操作して、図８(a) (b)に示すようにガイド部材２０の係合片２１を引っ込めればよい。内障子２は上記ピボット軸１２を中心に室内側に倒すことができる。これに対し、外障子３が邪魔になるので屋外側には回動させることはできない。
【００１９】
また、図７(a) に示すように、係合片２１の先端２１ａは円弧状に弯曲しているので、係合片２１を摺動案内溝４、５内に進入させたとき、係合片２１の中央はすぐに上記縦枠１ｃ内に配置されたスパイラルバランサ１４のパイプ１５に当たることになるが、係合片２１の先端中央はパイプ１５の外形に対応して円弧状に弯曲形成されているから、係合片２１の両側部は摺動案内溝４、５内に深く進入することができる。
【００２０】
ところで、外障子３の摺動案内溝５の下部と内障子２の摺動案内溝４の上部には、それぞれ外障子３の下動と内障子２の上動を規制するストッパ２９が取り付けられている。
【００２１】
ストッパ２９は図１０に示されるように、細長い基板３０の下部から表側にストッパブロック３１を突出し、基板３０の中央部に円孔３２（調整器１９の調整軸１９ａを露出させる孔）を形成し、基板の上部裏側には係止片３３、下部裏側には平行な１対の切欠き３４付の係合片３５を突出形成したものである。なお、上記ストッパブロック３１は、内障子２のガイド部材２０に上方に対応する位置に配置されている。そこで、ストッパ２９には、内障子２を上動させたときにガイド部材２０の操作部２２が当たらないようにする逃げ部３６が形成されている。すなわち、ストッパブロック３１は有底筒状で、ガイド部材２０の操作部２２が収納できる程度の大きさに形成され、その下方は開放されている。
【００２２】
これに対し、図１０に示されるように、縦枠１ｃの上部で、調整器１９に対応する位置には摺動案内溝４、５の両側を切欠いて拡開させ、ストッパ２９の裏側の係合片３５が嵌合できる程度の幅に形成されたストッパ２９の取付用開口部３７が形成されている。ストッパ２９はこの取付用開口部３７に係合片３５を嵌合させ、上部の係止片３３を開口部３７の上部の開口縁に係合させ、係合片３５の下端の切欠き３４を取付用開口部３７の両側の切欠き縁３８に係止させることによって固定されている。
【００２３】
上述の構成によれば、外障子３は下方に移動させたとき、縦枠１ｃに設けたストッパ２９にぶつかってそれ以上の移動を阻止される。また、内障子２は上方に移動させたとき、上框の両端は縦枠１ｃに設けたストッパ２９にぶつかってそれ以上の移動を阻止される。このとき、図１１に示されるように内障子２のガイド部材２０の操作部２２はストッパブロック３１の下端の開放部から内部の逃げ部３６に入り込むので、ストッパブロック３１にぶつかることはない。また、内障子２はストッパ２９で上動を規制されることにより、上動時に内障子２の上端に設けられたクレセント錠３９が上枠１ａに衝突するのが防止される。
【００２４】
【発明の効果】
請求項１に係る発明によれば、内障子は横框の両端を縦框の側面に突合せて框組みして成り、内障子の上下の摺動を案内するガイド部材を内障子の縦框上端に取り付けたので、ガイド部材が縦框の上端を塞ぐキャップを兼用することができる。
【００２５】
また、ガイド部材には、上記係合片の出没作動を操作する操作部が設けられているから、操作部を動かすことにより係合片を係脱作動させることができる。
【００２６】
さらに、上記ガイド部材は、縦框の上端開口部を塞ぐので、縦框のキャップとして機能させることができる。また、ガイド部材の操作部は内障子の上方に突設され、枠体の縦枠に固定された内障子の上動規制用ストッパには、上記操作部に当たらないようにする逃げ部が形成されているから、内障子を上方に移動させたとき、操作部がストッパに衝突することがないので、操作部やストッパの破損を有効に防止することができる。
【図面の簡単な説明】
【図１】  本発明に係る上げ下げ窓の斜視図
【図２】  上記上げ下げ窓の内障子を倒した状態の斜視図
【図３】  上記上げ下げ窓の縦断面図
【図４】  図３のＸーＸ線上の断面図
【図５】  縦框１１の上部の側面図
【図６】  ガイド部材の取付状態の斜視図
【図７】  (a) (b) は上記ガイド部材の係合片の突出状態の平面図及び断面図
【図８】  (a) (b) は上記ガイド部材の係合片の没入状態の平面図及び断面図
【図９】  障子の取付状態説明図
【図１０】  ストッパの取付状態を示す斜視図
【図１１】  ストッパに内障子の上端が係合した状態の斜視図
【符号の説明】
１  枠体
２  内障子
３  外障子
１４  スパイラルバランサ
１５  パイプ
２０  ガイド部材
２１  係合片
２６  規制片
３７  逃げ部
【図１】
0003741259.tif 000002
【図２】
0003741259.tif 000003
【図３】
0003741259.tif 000004
【図４】
0003741259.tif 000005
【図５】
0003741259.tif 000006
【図６】
0003741259.tif 000007
【図７】
0003741259.tif 000008
【図８】
0003741259.tif 000009
【図９】
0003741259.tif 000010
【図１０】
0003741259.tif 000011
【図１１】
0003741259.tif 000012